(57)【要約】【課題】組立てを必要とせず、二部品間に様々な抵抗量を持つことができる二部品ヒンジ構成を有する製品を提供する。【解決手段】ヒンジ製品は第一部分および第二部分を有する。第一部分はその一端を横切る方向に伸長する支柱を有する。第二部分はその中に二つの同軸アパーチャを有し、各々のアパーチャは内壁を有する。支柱はアパーチャ間およびアパーチャ内に伸長して、第一部分を第二部分に接続する。支柱またはアパーチャの内壁のいずれか一方に配置された少なくとも一つの突起がある。内壁または支柱の残りの一方に配置された少なくとも一つのリブがある。第二部分を第一部分に対して回転すると、リブは突起に接触し、回転に対する抵抗を生じる。この抵抗は、二つの部分の相互に対する刻み回転を可能にする。アパーチャの配置に応じて、製品は多数の構成に配置することができる。【選択図】  図１
2004360911.tif 000002
【特許請求の範囲】
【請求項１】
第一部分の一端を横切る方向に伸長する支柱を有する第一部分と、
二つの同軸アパーチャを有する第二部分であって、前記アパーチャの各々が内壁を有し、前記第一部分の前記支柱が前記第二部分のアパーチャ内に伸長して前記第一部分を前記第二部分に接続するように構成された第二部分と、
前記支柱および前記アパーチャの前記内壁のうちの一方に配置された少なくとも一つの突起と、
前記アパーチャおよび前記支柱のうちの一方に配置された少なくとも一つのリブであって、前記第二部分が前記第一部分に対して回転したときに前記リブが前記少なくとも一つの突起に接触して、回転に対する抵抗を生じるように構成されたリブと
を備えたヒンジ製品。
【請求項２】
前記少なくとも一つの突起が前記アパーチャに配置され、前記少なくとも一つのリブが前記支柱に沿って配置される、請求項１記載のヒンジ製品。
【請求項３】
前記少なくとも一つの突起および前記支柱を接続する少なくとも一つの接続点を介して第一部分が前記第二部分と一体的に形成され、前記第一部分を前記第二部分に対して回転することにより、前記少なくとも一つの接続点が切断されるように構成された、請求項２記載のヒンジ製品。
【請求項４】
前記アパーチャが複数の突起を有する、請求項１記載のヒンジ製品。
【請求項５】
前記リブが前記突起のうちの二個の間で静止する位置まで前記第一部分を前記第二部分に対して回転することによって、前記第一部分を前記第二部分に対して幾つかの位置のうちの選択された一つに配置することができる、請求項４記載のヒンジ製品。
【請求項６】
前記第一部分が前記第二部分に対して一方向にだけ回転するように、前記突起および前記リブがラチェット機構を形成する、請求項４記載のヒンジ製品。
【請求項７】
前記製品がロッドクリップである、請求項１記載のヒンジ製品。
【請求項８】
前記製品が射出成形プラスチックから形成される、請求項１記載のヒンジ製品。
【請求項９】
四個の突起がある、請求項１記載のヒンジ製品。
【請求項１０】
複数のリブがある、請求項１記載のヒンジ製品。
【発明の詳細な説明】
【技術分野】
【０００１】
本発明は、多くの用途に適しているが、特に自動車のドア機構内部の金属ロッドを保持するロッドクリップに適したヒンジに関する。特に、本発明は、一体に成形することができ、かつ二つのヒンジ部分の間に様々な抵抗量を持つように製造することができるヒンジに関する。
【背景技術】
【０００２】
自動車業界では、ロッドクリップを使用して作動ロッドをレバーに接続することは周知である。この型の構成は、ドアロック機構およびキャブレター連結装置に特に共通している。クリップは一般的にプラスチック材から作成され、ロッドの端の周りにパチンと嵌まる。次いでレバーは、その側面に保持リップまたはラッチを有するクリップの突起にパチンと嵌め込まれる。
【０００３】
クリップは、一体的な「一体ヒンジ」を持つ一体部品として、または二部品を接続する接続機構を持つ二部品として製造することができる。一般的に、二部品構成は耐久性がより高いが、分離した部品のため成形および組立がより困難になり得る。
【０００４】
加えて、二部品ヒンジは一般的に二部品間にかなりの遊びを有し、二部品間の相互作用は非常に弛い。
【特許文献１】米国特許第６，０５３，４５８号明細書
【発明の開示】
【発明が解決しようとする課題】
【０００５】
一段階で成形することができ、組立てを必要とせず、かつ異なる要件を満たすために二部品間に様々な抵抗量を持つことができる二部品ヒンジ構成を有するロッドクリップまたは他の品目を構成することが望ましい。
【課題を解決するための手段】
【０００６】
本発明は、第一部分および第二部分を有するヒンジ製品を含む。第一部分は、一端を横切る方向に伸長する支柱を有する。第二部分はその中に二つの同軸アパーチャを有し、各々のアパーチャは内壁を有する。第一部分の支柱は第二部分のアパーチャ内に伸長して、第一部分を第二部分に接続する。支柱またはアパーチャの内壁のいずれか一方に配置された少なくとも一つの突起がある。内壁または支柱の残りの一方に配置された少なくとも一つのリブがある。第二部分を第一部分に対して回転すると、リブは突起に接触して、回転に対する抵抗を生じる。この抵抗は、二つの部分の相互に対する刻み回転または間欠回転を可能にする。アパーチャの配置に応じて、製品は多数の構成に配置することができる。
【０００７】
突起はアパーチャに配置し、リブは支柱に沿って長手方向に配置することが好ましい。代替的に、支柱は支柱の外端の周囲に周方向に配置された突起を持つことができ、アパーチャは内壁に単一の横リブを装備することができる。
【０００８】
好適な実施形態では、第一部分は、突起の一つと支柱を接続する少なくとも一つの接続点を介して、第二部分と一体的に形成される。第一部分を第二部分に対して回転すると、単数または複数の接続点は切断される。こうして、二部品ヒンジを単体部品として製造することができる。
【０００９】
内壁が複数の突起を持ち、リブが突起セット間に複数の静止位置を持つようにすることが好ましい。これにより、装置を多数の異なる向きに配置することが可能になる。各内壁に四個の突起が最適な量であるが、異なる個数の突起を使用することもできる。
【００１０】
代替実施形態では、第一部分が第二部分に対して一方向にのみ回転するように、突起およびリブはラチェット機構を形成する。突起およびリブは多くの異なる形状および形態を取ることができる。
【００１１】
本発明に係るヒンジは多くの様々な製品に有用である。それは特にロッドクリップに有用である。
【００１２】
本発明に係る製品は、射出成形プラスチックなど、任意の適切な材料から形成することができる。
【００１３】
本発明の他の目的および特徴は、添付の図面に関連して考察する以下の詳細な説明から明らかになるであろう。しかし、図面は、発明の範囲を画定するものとしてではなく、単なる例証として意図されたものであることを理解されたい。
【００１４】
図面では、幾つかの図を通して同様の参照文字は、同様の要素を表わしている。
【発明を実施するための最良の形態】
【００１５】
図面を詳細に参照すると、図１〜３は、ロッドクリップ１０として使用される場合の本発明に係るヒンジの好適な実施形態を示す。ロッドクリップ１０は、第二部分３０に蝶着される第一部分２０を含む。第一部分２０は、第二部分３０の二つの同軸アパーチャ３１内に伸長するロッド２１を有する。ロッド２１は、その表面に沿って長手方向に伸長するリブ２２を有する。各アパーチャ３１は、全周に伸長する内壁３２を有する。内壁３２に沿って複数の突起３３がある。第一部分２０を第二部分３０に対して回転すると、リブ２２が突起３３と当接して、回転に抵抗する。このやり方により、製品を幾つかの異なる均一な向きの一つに配置することができる。ヒンジを静止位置を越えて回転させるには、リブ２２にその隣接突起３３を超えさせなければならないので、過度の力が必要である。リブ２２および突起３３の個数および位置を変えることによって、無制限の多様な割出し位置を持つ特製ヒンジを形成することができる。図１〜３に示した実施形態では、四個の突起があり、二個の異なる割出し位置が示されている。図１では、第一部分２０は第二部分３０に対して直角に配置されている。図３では、第一部分２０は第二部分３０と並行に配置されている。代替実施形態では、突起は支柱２１の端の周囲に配設され、リブは内壁３２に沿って伸長し、突起とリブとの間に上述と同じ相互作用を形成する。
【００１６】
図４の断面図に示すように、好適な実施形態では、ロッドクリップ１０全体または他の製品全体が、第一部分２０を第二部分３０に接続する接続点３６を持つ一体品として一体的に成形される。接続点３６は、アパーチャ３１の内壁３２に配置された突起３３から外に伸長し、第一部分２０の支柱２１に直接接続している。このやり方により、製品全体を作成するために単一の金型が必要である。ヒンジを使用するには、接続点がボキッと折れるまで第一部分２０を第二部分３０に対して回転することによって、接続点３６を切断する。そうすると、二つの部分が相互に永久的に分離され、二部品ヒンジとして機能する。
【００１７】
図５および６に示す代替実施形態では、リブ２７および突起３７はラチェットを機能形成し、一方向にのみヒンジの回転が可能になる。これは、リブ２７および突起３７が相互作用して、突起３７が一方向にバイパスできないように、リブ２７が湾曲した形状に形成され、突起がリブの湾曲先端方向に傾斜しているために生じる。第一部分２０は、矢印５０の方向にだけ第二部分３０を中心に回転することができる。
【００１８】
したがって、本発明のわずかな実施形態を示し説明しただけであるが、本発明の精神および範囲から逸脱することなく、それらに多くの変形および修正を施すことができることは明白である。
【図面の簡単な説明】
【００１９】
【図１】ロッドクリップに具現された本発明に係るヒンジの第一実施形態の斜視図。
【図２】図１に係るヒンジの拡大側面図。
【図３】ヒンジを９０度回転した状態の図２の実施形態の側面図。
【図４】図３の支柱およびアパーチャ構成の断面図
【図５】本発明に係るヒンジの代替実施形態の側面斜視図。
【図６】図５のヒンジの拡大側面図。
【図１】
2004360911.tif 000003
【図２】
2004360911.tif 000004
【図３】
2004360911.tif 000005
【図４】
2004360911.tif 000006
【図５】
2004360911.tif 000007
【図６】
2004360911.tif 000008